(57)【要約】【課題】車両の駐車中、適切な監視を行うこと。【解決手段】車両の現在位置の位置情報を取得する位置情報取得部１２８と、位置情報取得部１２８が取得した位置情報が、車両が所定領域内に位置することを示すか否かを判定する領域判定部１３０と、車両の周囲を撮影するカメラユニット２１０が撮影した映像データを取得する映像データ取得部１２０と、映像データを取得するトリガを制御するトリガ制御部１３２とを備える。トリガ制御部１３２は、領域判定部１３０によって車両が所定領域内に存在すると判定された場合、トリガを第一トリガとし、車両が所定領域内に存在すると判定されない場合、トリガを第一トリガと異なる第二トリガとする。【選択図】図１
2020156064.tif 000002
【特許請求の範囲】
【請求項１】
車両の現在位置の位置情報を取得する位置情報取得部と、
前記位置情報取得部が取得した前記位置情報が、前記車両が所定領域内に位置することを示すか否かを判定する領域判定部と、
前記車両の周囲を撮影する撮影部が撮影した映像データを取得する映像データ取得部と、
前記映像データを取得するトリガを制御するトリガ制御部と、
を備え、
前記トリガ制御部は、前記領域判定部によって前記車両が所定領域内に存在すると判定された場合、前記トリガを第一トリガとし、前記車両が所定領域内に存在すると判定されない場合、前記トリガを前記第一トリガと異なる第二トリガとする、
ことを特徴とする車両用記録制御装置。
【請求項２】
前記第一トリガは、衝撃検出とは異なる種類のトリガである、
請求項１に記載の車両用記録制御装置。
【請求項３】
前記撮影部からの前記映像データを選択して取得する選択部、
を備え、
前記選択部は、前記領域判定部によって前記車両が所定領域内に存在すると判定されたか否かに応じて、前記映像データを選択する、
請求項１に記載の車両用記録制御装置。
【請求項４】
前記車両の向きを示す車両向き情報を取得する車両向き情報取得部、
を備え、
前記選択部は、前記領域判定部によって前記車両が所定領域内に存在すると判定されるか否か、および、前記車両向き情報取得部によって取得された車両向き情報が、前記車両が所定の方向を向いていることを示すか否かに応じて前記映像データを選択する、
請求項３に記載の車両用記録制御装置。
【請求項５】
前記車両の挙動を示す挙動情報を取得する挙動情報取得部、
を備え、
前記トリガ制御部は、前記領域判定部によって前記車両が所定領域内に存在すると判定され、かつ、前記挙動情報取得部によって取得された前記挙動情報が前記車両の停止を示す場合、前記トリガを前記第一トリガとする、
請求項１から４のいずれか一項に記載の車両用記録制御装置。
【請求項６】
前記車両の周囲の照度を示す照度情報を取得する照度情報取得部、
を備え、
前記トリガ制御部は、前記領域判定部によって前記車両が所定領域内に存在すると判定され、かつ、前記照度情報取得部によって取得された前記照度情報が前記車両の周囲の照度が閾値以下であることを示す場合、前記トリガを前記第一トリガとする、
請求項１から５のいずれか一項に記載の車両用記録制御装置。
【請求項７】
前記位置情報取得部は、前記映像データに基づいて前記位置情報を取得し、
前記領域判定部は、前記映像データに所定の物体が撮影されているか否かに基づいて、前記車両が所定領域内に位置することを示すか否かを判定する、
請求項１から６のいずれか一項に記載の車両用記録制御装置。
【請求項８】
前記トリガ制御部は、前記領域判定部によって前記車両が所定領域内に存在すると判定されてから所定時間が経過するまで、前記トリガによらず前記映像データの取得を継続して、前記領域判定部によって前記車両が所定領域内に存在すると判定されてから所定時間が経過した後、前記トリガを前記第一トリガとする、
請求項１から７のいずれか一項に記載の車両用記録制御装置。
【請求項９】
車両の現在位置の位置情報を取得する位置情報取得ステップと、
前記位置情報取得ステップによって取得した前記位置情報が、前記車両が所定領域内に位置することを示すか否かを判定する領域判定ステップと、
前記車両の周囲を撮影する撮影部が撮影した映像データを取得する映像データ取得ステップと、
前記映像データを取得するトリガを制御するトリガ制御ステップと、
を含み、
前記トリガ制御ステップは、前記領域判定ステップによって前記車両が所定領域内に存在すると判定する場合、前記トリガを第一トリガとし、前記車両が所定領域内に存在すると判定しない場合、前記トリガを前記第一トリガと異なる第二トリガとする、
車両用記録制御方法。
【請求項１０】
車両の現在位置の位置情報を取得する位置情報取得ステップと、
前記位置情報取得ステップによって取得した前記位置情報が、前記車両が所定領域内に位置することを示すか否かを判定する領域判定ステップと、
前記車両の周囲を撮影する撮影部が撮影した映像データを取得する映像データ取得ステップと、
前記映像データを取得するトリガを制御するトリガ制御ステップと、
を含み、
前記トリガ制御ステップは、前記領域判定ステップによって前記車両が所定領域内に存在すると判定する場合、前記トリガを第一トリガとし、前記車両が所定領域内に存在すると判定しない場合、前記トリガを前記第一トリガと異なる第二トリガとする、
ことを車両用記録制御装置として動作するコンピュータに実行させるためのプログラム。
【発明の詳細な説明】
【技術分野】
【０００１】
本発明は、車両用記録制御装置、車両用記録制御方法およびプログラムに関する。
【背景技術】
【０００２】
録画不要場所に車両がいると判定された場合には、駐車中の録画を行わないように制御する技術が知られている（例えば、特許文献１参照）。車両の位置が、撮影が制限される制限領域である場合、イベントを検出する閾値を変更する技術が知られている（例えば、特許文献２参照）。
【先行技術文献】
【特許文献】
【０００３】
【特許文献１】特開２０１８−２００６１２号公報
【特許文献２】特開２０１１−２３２８５８号公報
【発明の概要】
【発明が解決しようとする課題】
【０００４】
車両が、例えば、自宅または職場などに位置するときと、その他の場所に位置するときとでは、監視目的および監視対象が異なる。車両の駐車位置に応じて、監視目的および監視対象に合わせて、適切な監視を行うことが望まれる。
【０００５】
本発明は、上記に鑑みてなされたものであって、適切な監視を行うことを目的とする。
【課題を解決するための手段】
【０００６】
上述した課題を解決し、目的を達成するために、本発明に係る車両用記録制御装置は、車両の現在位置の位置情報を取得する位置情報取得部と、前記位置情報取得部が取得した前記位置情報が、前記車両が所定領域内に位置することを示すか否かを判定する領域判定部と、前記車両の周囲を撮影する撮影部が撮影した映像データを取得する映像データ取得部と、前記映像データを取得するトリガを制御するトリガ制御部と、を備え、前記トリガ制御部は、前記領域判定部によって前記車両が所定領域内に存在すると判定された場合、前記トリガを第一トリガとし、前記車両が所定領域内に存在すると判定されない場合、前記トリガを前記第一トリガと異なる第二トリガとする、を備えることを特徴とする。
【０００７】
本発明に係る車両用記録制御方法は、車両の現在位置の位置情報を取得する位置情報取得ステップと、前記位置情報取得ステップによって取得した前記位置情報が、前記車両が所定領域内に位置することを示すか否かを判定する領域判定ステップと、前記車両の周囲を撮影する撮影部が撮影した映像データを取得する映像データ取得ステップと、前記映像データを取得するトリガを制御するトリガ制御ステップとを含み、前記トリガ制御ステップは、前記領域判定ステップによって前記車両が所定領域内に存在すると判定する場合、前記トリガを第一トリガとし、前記車両が所定領域内に存在すると判定しない場合、前記トリガを前記第一トリガと異なる第二トリガとする。
【０００８】
本発明に係るプログラムは、車両の現在位置の位置情報を取得する位置情報取得ステップと、前記位置情報取得ステップによって取得した前記位置情報が、前記車両が所定領域内に位置することを示すか否かを判定する領域判定ステップと、前記車両の周囲を撮影する撮影部が撮影した映像データを取得する映像データ取得ステップと、前記映像データを取得するトリガを制御するトリガ制御ステップとを含み、前記トリガ制御ステップは、前記領域判定ステップによって前記車両が所定領域内に存在すると判定する場合、前記トリガを第一トリガとし、前記車両が所定領域内に存在すると判定しない場合、前記トリガを前記第一トリガと異なる第二トリガとすることを車両用記録制御装置として動作するコンピュータに実行させる。
【発明の効果】
【０００９】
本発明によれば、適切な監視を行うことができるという効果を奏する。
【図面の簡単な説明】
【００１０】
【図１】図１は、第一実施形態に係る車両用記録制御装置を有する車両用記録装置の構成例を示すブロック図である。
【図２】図２は、第一実施形態に係る車両用記録制御装置における処理の流れの一例を示すフローチャートである。
【図３】図３は、第二実施形態に係る車両用記録制御装置を有する車両用記録装置の構成例を示すブロック図である。
【図４】図４は、第二実施形態に係る車両用記録制御装置における処理の流れの一例を示すフローチャートである。
【図５】図５は、第三実施形態に係る車両用記録制御装置を有する車両用記録装置の構成例を示すブロック図である。
【図６】図６は、第三実施形態に係る車両用記録制御装置における処理の流れの一例を示すフローチャートである。
【図７】図７は、第四実施形態に係る車両用記録制御装置を有する車両用記録装置の構成例を示すブロック図である。
【図８】図８は、第五実施形態に係る車両用記録制御装置を有する車両用記録装置の構成例を示すブロック図である。
【図９】図９は、第六実施形態に係る車両用記録制御装置を有する車両用記録装置の構成例を示すブロック図である。
【図１０】図１０は、第七実施形態に係る車両用記録制御装置における処理の流れの一例を示すフローチャートである。
【図１１】図１１は、第八実施形態に係る車両用記録制御装置における処理の流れの一例を示すフローチャートである。
【発明を実施するための形態】
【００１１】
以下に添付図面を参照して、本発明に係る車両用記録制御装置、車両用記録制御方法およびプログラムの実施形態を詳細に説明する。なお、以下の実施形態により本発明が限定されるものではない。
【００１２】
［第一実施形態］
図１は、第一実施形態に係る車両用記録制御装置を有する車両用記録装置の構成例を示すブロック図である。車両用記録装置１０は、車両に発生したイベントを記録する、いわゆるドライブレコーダである。車両用記録装置１０は、車両の現在位置が自宅などの所定の領域内である場合に、いわゆる防犯カメラおよび監視カメラとして機能させることができる。
【００１３】
車両用記録装置１０は、車両に載置されているものに加えて、可搬型で車両において利用可能な装置であってもよい。また、車両用記録装置１０は、車両に予め設置されている装置やナビゲーション装置等の機能または構成を含んで実現されてもよい。車両用記録装置１０は、カメラユニット（撮影部）２１０と、記録部２２０と、操作部２３０と、表示部２４０と、加速度センサ２５０と、ＧＰＳ（Ｇｌｏｂａｌ  Ｐｏｓｉｔｉｏｎｉｎｇ  Ｓｙｓｔｅｍ）受信部２６０と、地図情報記憶部２７０と、人感センサ２８０と、車両用記録制御装置１００とを有する。
【００１４】
カメラユニット２１０は、車両の周囲を撮影するカメラを有する。カメラは、３６０°の全天周を撮像可能なカメラであっても、複数が配置されていてもよい。本実施形態では、カメラユニット２１０は、前方カメラ２１１と、後方カメラ２１２と、右側方カメラ２１３と、左側方カメラ２１４と、赤外線カメラ２１５とを有する。  
【００１５】
前方カメラ２１１は、車両の前方に配置され、車両の前方を中心とした周辺を撮影する。前方カメラ２１１は、広角、例えば、水平方向に１９０°程度の撮影範囲を撮影する。前方カメラ２１１は、撮影した映像データを車両用記録制御装置１００の映像データ取得部１２０へ出力する。  
【００１６】
後方カメラ２１２は、車両の後方に配置され、車両の後方を中心とした周辺を撮影する。後方カメラ２１２は、広角、例えば、水平方向に１９０°程度の撮影範囲を撮影する。後方カメラ２１２は、撮影した映像データを車両用記録制御装置１００の映像データ取得部１２０へ出力する。  
【００１７】
右側方カメラ２１３は、車両の右側方に配置され、車両の右側方を中心とした周辺を撮影する。右側方カメラ２１３は、広角、例えば、水平方向に１９０°程度の撮影範囲を撮影する。右側方カメラ２１３は、撮影した映像データを車両用記録制御装置１００の映像データ取得部１２０へ出力する。  
【００１８】
左側方カメラ２１４は、車両の左側方に配置され、車両の左側方を中心とした周辺を撮影する。左側方カメラ２１４は、広角、例えば、水平方向に１９０°程度の撮影範囲を撮影する。左側方カメラ２１４は、撮影した映像データを車両用記録制御装置１００の映像データ取得部１２０へ出力する。  
【００１９】
このような前方カメラ２１１と後方カメラ２１２と右側方カメラ２１３と左側方カメラ２１４とを含むカメラユニット２１０で、車両の全方位を撮影する。
【００２０】
赤外線カメラ２１５は、車両の周囲を赤外光で撮影する。赤外線カメラ２１５は、３６０°の全天周を撮像可能な赤外線カメラとして説明するが、これに限定されず、車両の周辺を撮像する複数の赤外線カメラ群であってもよい。赤外線カメラ２１５は、撮影した赤外光の映像データを車両用記録制御装置１００の映像データ取得部１２０へ出力する。
【００２１】
記録部２２０は、車両用記録装置１０におけるデータの一時記憶などに用いられる。記録部２２０は、例えば、ＲＡＭ（Ｒａｎｄｏｍ  Ａｃｃｅｓｓ  Ｍｅｍｏｒｙ）、フラッシュメモリ（Ｆｌａｓｈ  Ｍｅｍｏｒｙ）などの半導体メモリ素子、または、メモリカードなどの記録部である。または、図示しない通信装置を介して無線接続される外部記録部であってもよい。記録部２２０は、車両用記録制御装置１００の記録機能制御部１２３から出力された制御信号に基づいて、ループ記録映像データまたはイベント記録データを記録する。
【００２２】
操作部２３０は、車両用記録装置１０に対する各種操作を受付可能である。例えば、操作部２３０は、撮影した映像データを記録部２２０にイベント記録データとして手動で保存する操作を受付可能である。例えば、操作部２３０は、記録部２２０に記録したループ記録映像データまたはイベント記録データを再生する操作を受付可能である。例えば、操作部２３０は、記録部２２０に記録したイベント記録データを消去する操作を受付可能である。例えば、操作部２３０は、ループ記録を終了する操作を受付可能である。操作部２３０は、操作情報を車両用記録制御装置１００の操作制御部１２５に出力する。
【００２３】
表示部２４０は、一例としては、車両用記録装置１０に固有の表示装置、または、ナビゲーションシステムを含む他のシステムと共用した表示装置などである。表示部２４０は、カメラユニット２１０と一体に形成されていてもよい。表示部２４０は、例えば、液晶ディスプレイ（ＬＣＤ：Ｌｉｑｕｉｄ  Ｃｒｙｓｔａｌ  Ｄｉｓｐｌａｙ）または有機ＥＬ（Ｏｒｇａｎｉｃ  Ｅｌｅｃｔｒｏ−Ｌｕｍｉｎｅｓｃｅｎｃｅ）ディスプレイなどを含むディスプレイである。本実施形態では、表示部２４０は、車両の運転者前方の、ダッシュボード、インストルメントパネル、センターコンソールなどに配置されている。表示部２４０は、車両用記録制御装置１００の表示制御部１２６から出力された映像信号に基づいて、映像を表示する。表示部２４０は、カメラユニット２１０が撮影している映像、または、記録部２２０に記録された映像を表示する。
【００２４】
加速度センサ２５０は、車両に対して生じる加速度を検出するセンサである。加速度センサ２５０は、検出結果を車両用記録制御装置１００のイベント検出部１２７に出力する。加速度センサ２５０は、例えば３軸方向の加速度を検出するセンサである。３軸方向とは、車両の前後方向、左右方向、および上下方向である。
【００２５】
ＧＰＳ受信部２６０は、図示しないＧＰＳ衛星から電波を受信する。ＧＰＳ受信部２６０は、受信した電波の信号を車両用記録制御装置１００の位置情報取得部１２８へ出力する。
【００２６】
地図情報記憶部２７０は、地図情報を記憶する。地図情報は、例えば、自宅、職場、駐車場などを含む道路地図である。地図情報記憶部２７０は、記憶している地図情報を領域判定部１３０へ出力する。地図情報記憶部２７０は、図示しない通信機能を介して地図情報を取得する外部サーバ等の記憶装置であってもよい。
【００２７】
人感センサ２８０は、人物を検出するセンサである。人感センサ２８０は、検出結果を車両用記録制御装置１００の物体検出部１３１へ出力する。
【００２８】
車両用記録制御装置１００は、例えば、ＣＰＵ（Ｃｅｎｔｒａｌ  Ｐｒｏｃｅｓｓｉｎｇ  Ｕｎｉｔ）などで構成された演算処理装置（制御装置）である。車両用記録制御装置１００は、記憶されているプログラムをメモリにロードして、プログラムに含まれる命令を実行する。車両用記録制御装置１００には図示しない内部メモリが含まれ、内部メモリは車両用記録制御装置１００におけるデータの一時記憶などに用いられる。車両用記録制御装置１００は、バス１１０に接続された、映像データ取得部１２０と、バッファメモリ１２１と、映像データ処理部１２２と、記録機能制御部１２３と、再生制御部１２４と、操作制御部１２５と、表示制御部１２６と、イベント検出部１２７と、位置情報取得部１２８と、領域判定部１３０と、物体検出部１３１と、トリガ制御部１３２とを有する。
【００２９】
映像データ取得部１２０は、車両の周囲を撮影した映像データを取得する。より詳しくは、映像データ取得部１２０は、カメラユニット２１０が出力した映像データを取得して、バッファメモリ１２１に出力する。
【００３０】
バッファメモリ１２１は、車両用記録制御装置１００が備える内部メモリであり、映像データ取得部１２０が取得した一定時間分の映像データを、更新しながら一時的に記録するメモリである。
【００３１】
映像データ処理部１２２は、バッファメモリ１２１が一時的に記憶している映像データを、例えばＨ．２６４やＭＰＥＧ−４（Ｍｏｖｉｎｇ  Ｐｉｃｔｕｒｅ  Ｅｘｐｅｒｔｓ  Ｇｒｏｕｐ）などの任意の方式のコーデックで符号化された、例えばＭＰ４形式などの任意のファイル形式に変換する。映像データ処理部１２２は、バッファメモリ１２１が一時的に記憶している映像データから、一定時間分のファイルとした映像データを生成する。具体例として、映像データ処理部１２２は、バッファメモリ１２１が一時的に記憶している映像データを、記録順に６０秒間の映像データをファイルとして生成する。映像データ処理部１２２は、生成した映像データを記録機能制御部１２３へ出力する。また、映像データ処理部１２２は、生成した映像データを表示制御部１２６へ出力する。ファイルとして生成される映像データの期間は、一例として６０秒としたが、これには限定されない。ここで言う映像データとは、カメラユニット２１０が撮影した映像に加えて音声が含まれたデータであってもよい。
【００３２】
記録機能制御部１２３は、映像データ処理部１２２でファイル化された映像データを、記録部２２０に記録させる制御を行う。記録機能制御部１２３は、車両のアクセサリ電源がＯＮであるときなど、ループ記録処理を実行する期間は、映像データ処理部１２２でファイル化された映像データを、上書き可能な映像データとして、記録部２２０に記録する。より詳しくは、記録機能制御部１２３は、ループ記録処理を実行する期間は、映像データ処理部１２２が生成した映像データを記録部２２０に記録し続け、記録部２２０の容量が一杯になった場合、最も古い映像データに新しい映像データを上書きして記録する。
【００３３】
さらに、記録機能制御部１２３は、イベントを検出した場合、映像データ処理部１２２が生成した映像データにおける所定の期間の映像データを、上書きが禁止されたイベント記録データとして記録部２２０に保存する。
【００３４】
記録機能制御部１２３が記録部２２０に保存するイベント記録データは、例えば、イベントが検出された時点の前後１０秒程度の所定の期間の映像データをバッファメモリ１２１からコピーし、イベント記録データとして保存する。
【００３５】
また、記録機能制御部１２３は、車両の現在位置が所定領域内である場合、車両用記録装置１０を防犯カメラおよび監視カメラとして機能させる。記録機能制御部１２３は、トリガ制御部１３２によって映像データを取得するトリガが切り替えられることによって、車両用記録装置１０を防犯カメラおよび監視カメラとして機能させるかドライブレコーダとして機能させるかを切り替え可能である。
【００３６】
所定領域とは、車両用記録装置１０を防犯カメラおよび監視カメラとして機能させることが好ましい、監視目的および監視対象を有する領域である。所定領域とは、例えば、自宅および職場の周辺である。自宅および職場の周辺では、車両用記録装置１０を、自宅および職場の周辺で発生した異常および不審者を監視目的および監視対象とする監視カメラとして機能させる。また、自宅および職場の周辺では、特定の人物以外が出入りする可能性が少ないので、例えば、車上荒らしおよび意図的な破損の被害を受ける可能性が低減される。そこで、車両に対する衝撃が検出されたことによって、撮影を開始して映像データを保存するよりも、車両の周辺に物体が検出されたことによって、撮影を開始して映像データを保存することが好ましい。言い換えると、自宅および職場の周辺などの所定領域内では、車上荒らしや車両への悪戯などに重点を置いた監視よりも、自宅への不審者の侵入や、建物を含めた所有物全般への悪戯などに重点を置いた監視を行う方が好ましい。所定領域とは、自宅や職場に限定されず、個人の宅地内であること、不特定多数の人物が出入りする領域でないこと、など、車両用記録装置１０を防犯カメラおよび監視カメラとして機能させることが好ましい領域と判定される領域を含む。
【００３７】
所定領域外では、不特定多数の人物が出入りする可能性が高いので、例えば、車上荒らしおよび意図的な破損の被害を受ける可能性がある。また、不特定多数の人物が出入りする可能性が高いので、車両の周辺の物体が検出されたことによって、撮影を開始して映像データを保存すると、保存した映像データの記憶容量が膨大になるおそれがある。そこで、車両に対する衝撃が検出されたことによって、撮影を開始して映像データを保存する。
【００３８】
記録機能制御部１２３は、領域判定部１３０によって、車両の現在位置が所定領域内であると判定された場合、物体検出部１３１が物体を検出したことに基づいてイベントを検出したと判断して、カメラユニット２１０を起動して、映像データを保存する。
【００３９】
記録機能制御部１２３は、領域判定部１３０によって、車両の現在位置が所定領域内ではないと判断された場合、加速度データに基づいてイベントを検出したと判断して、カメラユニット２１０を起動して、映像データを保存する。
【００４０】
再生制御部１２４は、操作制御部１２５から出力された再生操作の制御信号に基づいて、記録部２２０に記録されたループ記録映像データまたはイベント記録データを再生するよう制御する。
【００４１】
操作制御部１２５は、操作部２３０が受け付けた操作の操作情報を取得する。例えば、操作制御部１２５は、映像データの手動保存操作を示す保存操作情報、再生操作を示す再生操作情報、または、映像データの消去操作を示す消去操作情報を取得して制御信号を出力する。例えば、操作制御部１２５は、ループ記録を終了する操作を示す終了操作情報を取得して制御信号を出力する。
【００４２】
表示制御部１２６は、表示部２４０における映像データの表示を制御する。表示制御部１２６は、映像データを表示部２４０に出力させる映像信号を出力する。より詳しくは、表示制御部１２６は、カメラユニット２１０が撮影している映像、または、記録部２２０に記録されたループ記録映像データまたはイベント記録データの再生によって表示する映像信号を出力する。
【００４３】
イベント検出部１２７は、車両に対して発生したイベントを検出する。本実施形態では、イベント検出部１２７は、第一トリガ、または、第一トリガと異なる第二トリガによって、イベントを検出する。第一トリガと第二トリガとの切り替えは、後述するトリガ制御部１３２によって実行される。
【００４４】
第一トリガは、車両の走行中にイベントとして検出するトリガとは異なるトリガの種類であり、例えば、人感センサの検出結果に基づいて、車両の周囲の物体が検出されたことをトリガとして、イベントとして検出する。より詳細には、第一トリガは、衝突や衝撃を検出するトリガ、たとえば、加速度センサによる、所定の閾値を超えた加速度を検出するトリガとは異なるトリガである第一トリガをイベント検出のトリガとする場合、イベント検出部１２７は、人感センサ２８０や、図示しない赤外線センサによる高温物体検出などの物体検出部１３１の検出結果に基づいて、の検出結果が物体を検出したことを示す場合、イベントとして検出する。第一トリガは、例えば、図示しないマイクによって集音された音を音声認識する、図示しない音声認識部による認識結果に基づいて、悲鳴、衝突音、足音などを認識した場合にイベントとして検出するトリガであってもよい。第一トリガは、例えば、図示しないマイクによって集音された音が、爆音とか超高音などの、一般的にはあり得ないような音が入ってきたことを適応フィルタ等により抽出したトリガであってもよい。
【００４５】
第二トリガは、例えば、加速度センサの検出結果に基づいて、車両に対して加わる加速度の閾値以上の加速度が検出されたこと、より詳しくは、衝突や交通事故、急ブレーキなどの異常や、車両の揺れ、車両への悪戯の発生などを検出し、これをトリガとして、イベントとして検出する。第二トリガをイベント検出のトリガとする場合、イベント検出部１２７は、加速度センサ２５０の検出結果に基づいて、加速度センサ２５０が検出した加速度における閾値以上の加速度が検出されると、イベントとして検出する。第二トリガは、加速度センサの検出結果に基づくものに限定されず、例えば、画像認識の認識結果に基づいて、他車両や歩行者、自転車などとの衝突が発生した可能性が高い場合にイベントとして検出するトリガであってもよい。
【００４６】
位置情報取得部１２８は、ＧＰＳ受信部２６０が受信した電波に基づいて、車両の現在位置の位置情報を公知の方法によって算出する。
【００４７】
位置情報取得部１２８は、映像データに基づいて位置情報を取得してもよい。より詳しくは、位置情報取得部１２８は、映像データ取得部１２０が取得した映像データに画像処理を行って、位置情報を特定可能な物体、例えば、自宅または職場を識別可能な住所表記、表札、看板、建物、構造物などの物体を認識することによって車両の現在位置の位置情報を取得してもよい。位置情報取得部１２８は、位置情報を特定可能な風景や景色、例えば、自宅建物の一部と外壁、自宅前の道路などの景色を認識することによって車両の現在位置の位置情報を取得してもよい。
【００４８】
領域判定部１３０は、位置情報取得部１２８が取得した位置情報が、車両が所定領域内に位置することを示すか否かを判定する。本実施形態では、領域判定部１３０は、車両の位置情報および地図情報記憶部２７０が記憶した地図情報に基づき、車両の現在位置が所定領域内であるか否かを判断する。所定領域は、例えば、自宅または職場である。
【００４９】
領域判定部１３０は、映像データに所定の物体が撮影されているか否かに基づいて、車両が所定領域内に位置することを示すか否かを判定してもよい。領域判定部１３０は、位置情報取得部１２８によって所定の物体が認識された場合、車両の現在位置が所定領域内であると判断する。
【００５０】
物体検出部１３１は、人感センサ２８０や、図示しない赤外線センサによる高温物体検出などの検出結果に基づいて、車両の周囲の物体を検出する。物体検出部１３１は、人感センサ２８０の検出結果が物体を検出したことを示す場合、イベントとして検出する。
【００５１】
トリガ制御部１３２は、映像データを取得するトリガを制御する。トリガ制御部１３２は、車両が所定領域内に存在するか否かに応じて、イベント検出部１２７がイベントとして検出するトリガを制御する。本実施形態では、トリガ制御部１３２は、領域判定部１３０が車両が所定領域内に存在すると判定する場合、第一トリガをトリガとし、車両が所定領域内に存在すると判定しない場合、第一トリガと異なる第二トリガをトリガとする。
【００５２】
次に、図２を用いて、車両用記録制御装置１００における処理の流れについて説明する。図２は、第一実施形態に係る車両用記録制御装置における処理の流れの一例を示すフローチャートである。図２に示す処理は、イベント検出に基づきカメラユニット２１０を起動させて、イベント検出後の所定期間の映像データをイベント記録データとして記録部２２０に保存する。車両用記録制御装置１００は、位置情報取得部１２８によって、車両の現在の位置情報を取得する。
【００５３】
車両用記録制御装置１００は、車両の現在位置が所定領域内であるか否かを判定する（ステップＳ１０１）。より詳しくは、車両用記録制御装置１００は、領域判定部１３０によって、車両の位置情報および地図情報記憶部２７０が記憶した地図情報に基づき、車両の現在位置が所定領域内であるか否かを判断する。車両用記録制御装置１００は領域判定部１３０によって、車両の現在位置が所定領域内であると判断した場合（ステップＳ１０１でＹｅｓ）、ステップＳ１０２に進む。車両用記録制御装置１００は、領域判定部１３０によって、車両の現在位置が所定領域内ではないと判断した場合（ステップＳ１０１でＮｏ）、ステップＳ１０３に進む。
【００５４】
車両の現在位置が所定領域内であると判断した場合（ステップＳ１０１でＹｅｓ）、車両用記録制御装置１００は、トリガ制御部１３２によって、第一トリガをトリガとしてイベント検出を開始する（ステップＳ１０２）。より詳しくは、車両用記録制御装置１００は、トリガ制御部１３２によって、物体検出部１３１の検出結果に基づいて、イベント検出部１２７によって、物体検出によるイベント検出を開始する。車両用記録制御装置１００は、ステップＳ１０４に進む。
【００５５】
車両の現在位置が所定領域内ではないと判断した場合（ステップＳ１０１でＮｏ）、車両用記録制御装置１００は、トリガ制御部１３２によって、第二トリガをトリガとしてイベント検出を開始する（ステップＳ１０３）。より詳しくは、車両用記録制御装置１００は、加速度センサ２５０の検出結果に基づいて、イベント検出部１２７によって、加速度によるイベント検出を開始する。車両用記録制御装置１００は、ステップＳ１０４に進む。
【００５６】
車両用記録制御装置１００は、イベント検出部１２７による検出結果に基づいて、イベントを検出したか否かを判定する（ステップＳ１０４）。
【００５７】
より詳しくは、車両用記録制御装置１００は、第一トリガをトリガとする場合、イベント検出部１２７によって、物体検出部１３１で物体が検出されたと判定する場合、イベントを検出したと判定して（ステップＳ１０４でＹｅｓ）、ステップＳ１０５に進む。または、車両用記録制御装置１００は、イベント検出部１２７によって、物体検出部１３１で物体が検出されなかったと判定する場合、イベントを検出しないと判定して（ステップＳ１０４でＮｏ）、ステップＳ１０７に進む。
【００５８】
または、車両用記録制御装置１００は、第二トリガをトリガとする場合、イベント検出部１２７によって、加速度センサ２５０で閾値以上の加速度が検出されたと判定する場合、イベントを検出したと判定して（ステップＳ１０４でＹｅｓ）、ステップＳ１０５に進む。車両用記録制御装置１００は、イベント検出部１２７によって、加速度センサ２５０で閾値以上の加速度が検出されなかったと判定する場合、イベントを検出しないと判定して（ステップＳ１０４でＮｏ）、ステップＳ１０７に進む。
【００５９】
イベントを検出したと判定した場合（ステップＳ１０４でＹｅｓ）、車両用記録制御装置１００は、記録機能制御部１２３によって、カメラユニット２１０による撮影を開始させ（ステップＳ１０５）、ステップＳ１０６に進む。
【００６０】
車両用記録制御装置１００は、記録機能制御部１２３によって、撮影された映像データをイベント記録データとして記録部２２０に保存させ（ステップＳ１０６）、ステップＳ１０７に進む。ステップＳ１０６で保存されるイベント記録データは、ステップＳ１０５で撮影を開始してから所定期間が経過して撮影が終了するまでの期間の映像データである。
【００６１】
車両用記録制御装置１００は、監視機能が終了したか否かを判断する（ステップＳ１０７）。監視機能の終了とは、例えばアクセサリ電源がＯＮとなったことや、操作部２３０の操作によって監視機能が停止されたことなどで判断される。
【００６２】
ステップＳ１０７において、監視機能が終了したと判断された場合（ステップＳ１０７でＹｅｓ）、本処理を終了する。監視機能が終了していないと判断された場合（ステップＳ１０７でＮｏ）、ステップＳ１０４に戻る。
【００６３】
このように、車両が所定領域内に存在するか否かに応じて、映像データを取得するトリガを制御する。より詳しくは、車両が所定領域内に存在すると判定する場合、第一トリガとし、車両が所定領域内に存在すると判定しない場合、第一トリガと異なる第二トリガとする。
【００６４】
上述したように、本実施形態では、車両が所定領域内に存在すると判定する場合、第一トリガによって映像データを取得し、車両が所定領域内に存在すると判定しない場合、第一トリガと異なる第二トリガによって映像データを取得することができる。
【００６５】
本実施形態では、監視目的および監視対象が異なる場所に存在する場合、監視目的および監視対象に応じたトリガによって、映像データを取得することができる。本実施形態によれば、車両の現在位置が所定領域内である場合、所定領域を監視する防犯カメラおよび監視カメラとして機能させることができる。このように、本実施形態によれば、適切な監視を行って、適切に映像を記録することができる。
【００６６】
［第二実施形態］
図３、図４を参照しながら、本実施形態に係る車両用記録装置１０Ａについて説明する。図３は、第二実施形態に係る車両用記録制御装置を有する車両用記録装置の構成例を示すブロック図である。図４は、第二実施形態に係る車両用記録制御装置における処理の流れの一例を示すフローチャートである。車両用記録装置１０Ａは、基本的な構成は第一実施形態の車両用記録装置１０と同様である。以下の説明においては、車両用記録装置１０と同様の構成要素には、同一の符号または対応する符号を付し、その詳細な説明は省略する。車両用記録装置１０Ａは車両用記録制御装置１００Ａがカメラ選択部（選択部）１３３Ａを有する点と、記録機能制御部１２３Ａにおける処理とが第一実施形態と異なる。
【００６７】
カメラ選択部１３３Ａは、カメラユニット２１０の複数のカメラのうち映像データを取得するカメラを選択する。カメラ選択部１３３Ａは、領域判定部１３０によって車両が所定領域内に存在すると判定されたか否かに応じて、カメラユニット２１０の複数のカメラから映像データを取得するカメラを選択する。本実施形態では、カメラ選択部１３３Ａは、領域判定部１３０が車両が所定領域内に存在すると判定する場合、複数のカメラのうち監視目的および監視対象に適したカメラ、例えば、自宅の玄関や職場の出入口を撮影する前方カメラ２１１が撮影した映像データを取得する。カメラ選択部１３３Ａは、領域判定部１３０が車両が所定領域内に存在すると判定しない場合、複数のカメラのうち、例えば前方カメラ２１１および後方カメラ２１２が撮影した映像データを取得する。
【００６８】
カメラ選択部１３３Ａは、カメラユニット２１０が全天周を撮像可能なカメラである場合、撮影された映像データから切出す範囲を選択する。カメラ選択部１３３Ａは、領域判定部１３０によって車両が所定領域内に存在すると判定されたか否かに応じて、映像データから切出す範囲を選択する。本実施形態では、カメラ選択部１３３Ａは、領域判定部１３０が車両が所定領域内に存在すると判定する場合、監視目的および監視対象が撮影された範囲、例えば、自宅の玄関や職場の出入口が撮影された範囲を切出し範囲として選択する。
【００６９】
記録機能制御部１２３Ａは、領域判定部１３０によって、車両の現在位置が所定領域内であると判断され、イベントを検出したと判断した場合、カメラユニット２１０のうち、カメラ選択部１３３Ａが選択したカメラを起動して、映像データを保存する。
【００７０】
記録機能制御部１２３Ａは、領域判定部１３０によって、車両の現在位置が所定領域内であると判断され、イベントを検出したと判断した場合、全天周を撮影可能なカメラを起動して、撮影された映像データのうち所定の切出し範囲で切り出した映像データを保存する。
【００７１】
次に、図４を用いて、車両用記録制御装置１００Ａにおける処理の流れについて説明する。ステップＳ１１１ないしステップＳ１１４、ステップＳ１１６、ステップＳ１１７は、図２に示すフローチャートのステップＳ１０１ないしステップＳ１０４、ステップＳ１０６、ステップＳ１０７と同様の処理を行う。複数のカメラのうち映像データを取得するカメラを選択する場合について説明する。
【００７２】
車両用記録制御装置１００Ａは、車両の現在位置に応じたカメラで撮影を開始させる（ステップＳ１１５）。より詳しくは、車両用記録制御装置１００Ａは、記録機能制御部１２３Ａによって、カメラユニット２１０のうち、カメラ選択部１３３Ａが選択したカメラで撮影を開始させて、ステップＳ１１６に進む。
【００７３】
このように、車両が所定領域内に存在すると判定されたか否かに応じて、カメラユニット２１０の複数のカメラから映像データを取得するカメラを選択する。または、車両が所定領域内に存在すると判定されたか否かに応じて、映像データから切出す範囲を選択する。
【００７４】
上述したように、本実施形態では、車両が所定領域内に存在すると判定されたか否かに応じて、カメラユニット２１０の複数のカメラから映像データを取得するカメラを選択する。また、本実施形態では、車両が所定領域内に存在すると判定されたか否かに応じて、映像データから切出す範囲を選択することができる。本実施形態では、例えば、車両が自宅に駐車する際、駐車する車両の向きが決まっている場合などに、自宅の玄関などの監視対象が存在する方向に合わせて、カメラユニット２１０の複数のカメラからカメラを選択しておくことで、車両が自宅に駐車している間、自宅玄関付近を監視することができる。また、車両が自宅に駐車している間、自宅庭の奥など、監視対象としない方向を向くカメラを選択しないことで不要な監視を行わず、消費電力や記憶容量を抑制することができる。本実施形態によれば、車両が所定領域内に存在する場合、複数のカメラのうち監視目的および監視対象に適したカメラで撮影した映像データを取得することができる。
【００７５】
本実施形態では、全天周を撮影可能なカメラで撮影された映像データから切出す範囲を選択して保存するので、記憶容量を低減することができる。
【００７６】
［第三実施形態］
図５、図６を参照しながら、本実施形態に係る車両用記録装置１０Ｂについて説明する。図５は、第三実施形態に係る車両用記録制御装置を有する車両用記録装置の構成例を示すブロック図である。図６は、第三実施形態に係る車両用記録制御装置における処理の流れの一例を示すフローチャートである。車両用記録装置１０Ｂは、基本的な構成は第二実施形態の車両用記録装置１０と同様である。車両用記録装置１０Ｂは車両用記録制御装置１００Ｂが車両向き情報取得部１３４Ｂを有する点と、カメラ選択部１３３Ｂにおける処理とが第二実施形態と異なる。複数のカメラのうち映像データを取得するカメラを選択する場合について説明するが、全天周カメラである場合は、第二実施形態と組み合わせて処理を行えばよい。
【００７７】
車両向き情報取得部１３４Ｂは、ＣＡＮ（Ｃｏｎｔｒｏｌｌｅｒ  Ａｒｅａ  Ｎｅｔｗｏｒｋ）インターフェースなどを介して、車両の向きを示す車両向き情報を取得する。
【００７８】
カメラ選択部１３３Ｂは、車両が所定領域内に存在すると判定されるか否か、および、車両が所定の方向を向いていることを示すか否かに応じて、カメラユニット２１０の複数のカメラから映像データを取得するカメラを選択する。本実施形態では、カメラ選択部１３３Ｂは、領域判定部１３０が、車両が所定領域内に存在すると判定した場合、所望の撮像方向、例えば、自宅の玄関または職場の出入口の方向を撮像範囲とする、カメラユニット２１０のうちの所定のカメラを選択する。カメラ選択部１３３Ｂは、例えば、車両の向きが自宅の玄関から見て後ろ向きである場合、車両の後方を撮像する後方カメラ２１２を選択し、車両の向きが自宅の玄関から見て前向きである場合、車両の前方を撮像する前方カメラ２１１を選択することで、所望の撮像方向、つまり自宅の玄関を向いているカメラ、言い換えると、所望の撮像方向を撮像範囲とするカメラを選択する。映像データ取得部１２０は、カメラ選択部１３３Ｂが選択したカメラからの映像データを取得する。
【００７９】
次に、図６を用いて、車両用記録制御装置１００Ｂにおける処理の流れについて説明する。ステップＳ１２１ないしステップＳ１２４、ステップＳ１２７、ステップＳ１２８は、図４に示すフローチャートのステップＳ１１１ないしステップＳ１１４、ステップＳ１１６、ステップＳ１１７と同様の処理を行う。
【００８０】
車両用記録制御装置１００Ｂは、車両向き情報取得部１３４Ｂによって、車両の向きを示す車両向き情報を取得する（ステップＳ１２５）。車両用記録制御装置１００Ｂは、ステップＳ１２６に進む。
【００８１】
車両用記録制御装置１００Ｂは、車両の向きに応じたカメラで撮影を開始させる（ステップＳ１２６）。より詳しくは、車両用記録制御装置１００Ｂは、記録機能制御部１２３Ｂによって、カメラユニット２１０のうち、カメラ選択部１３３Ｂが選択したカメラで撮影を開始させて、ステップＳ１２７に進む。
【００８２】
このように、車両が所定領域内に存在すると判定され、かつ、車両が所定の範囲内を向いていることを示す場合、車両の向きに応じて、カメラユニット２１０の複数のカメラのうち映像データを取得するカメラを選択する。
【００８３】
上述したように、本実施形態では、車両が所定領域内に存在すると判定され、かつ、車両が所定の範囲内を向いていることを示す場合、車両の向きに応じて、カメラユニット２１０の複数のカメラのうち映像データを取得するカメラを選択することができる。本実施形態では、車両の向きに応じて、適切に監視することができる。
【００８４】
［第四実施形態］
図７を参照しながら、本実施形態に係る車両用記録装置１０Ｃについて説明する。図７は、第四実施形態に係る車両用記録制御装置を有する車両用記録装置の構成例を示すブロック図である。車両用記録装置１０Ｃは、基本的な構成は第一実施形態の車両用記録装置１０と同様である。車両用記録装置１０Ｃは車両用記録制御装置１００Ｃが挙動情報取得部１３４Ｃを有する点と、トリガ制御部１３２Ｃにおける処理とが第一実施形態と異なる。
【００８５】
挙動情報取得部１３４Ｃは、ＣＡＮインターフェースなどを介して、車両の挙動を示す挙動情報を取得する。本実施形態では、挙動情報取得部１３４Ｃは、車両から取得する情報に基づいて、車両が停止状態にあることを検出する。車両が停止状態にあるとは、シフトポジションが「パーキング」となったことやサイドブレーキが操作されたこと、例えば５秒以上の時間、速度がゼロとなったこと、エンジン停止などである。または、ユーザ操作など任意のトリガによって、車両が停止状態にあるとしてもよい。
【００８６】
トリガ制御部１３２Ｃは、領域判定部１３０が車両が所定領域内に存在すると判定し、かつ、挙動情報取得部１３４Ｃが取得した記挙動情報が車両の停止を示す場合、トリガを第一トリガとする。
【００８７】
上述したように、本実施形態では、車両が所定領域内に存在すると判定し、かつ、挙動情報取得部１３４Ｃが取得した記挙動情報が車両の停止を示す場合、トリガを切り替えることができる。本実施形態によれば、車両が停止している場合に限って、所定領域を監視する防犯カメラおよび監視カメラとして機能させることができる。
【００８８】
［第五実施形態］
図８を参照しながら、本実施形態に係る車両用記録装置１０Ｄについて説明する。図８は、第五実施形態に係る車両用記録制御装置を有する車両用記録装置の構成例を示すブロック図である。車両用記録装置１０Ｄは、基本的な構成は第一実施形態の車両用記録装置１０と同様である。車両用記録装置１０Ｄは車両用記録制御装置１００Ｄが照度センサ２９０Ｄと照度情報取得部１３５Ｄとを有する点と、トリガ制御部１３２Ｄにおける処理とが第一実施形態と異なる。
【００８９】
照度センサ２９０Ｄは、車両の周囲の照度を検出する照度センサである。照度センサ２９０Ｄは、検出した照度情報を照度情報取得部１３５Ｄへ出力する。
【００９０】
照度情報取得部１３５Ｄは、車両の周囲の照度を示す照度情報を取得する。照度情報取得部１３５Ｄは、照度センサ２９０Ｄの検出結果から照度情報を取得する。
【００９１】
トリガ制御部１３２Ｄは、領域判定部１３０が車両が所定領域内に存在すると判定し、かつ、照度情報取得部１３５Ｄが取得した照度情報が車両の周囲の照度が閾値以下であることを示す場合、トリガを第一トリガとする。照度の閾値は、例えば、日没後において該当が点灯していない状態の照度と同程度とする。
【００９２】
上述したように、本実施形態では、車両が所定領域内に存在すると判定し、かつ、照度情報取得部１３５Ｄが取得した照度情報が車両の周囲の照度が閾値以下であることを示す場合、トリガを切り替えることができる。本実施形態によれば、車両の周囲の照度が閾値以下である場合、例えば、自宅の庭の照明を落としている場合や、自宅の雨戸を閉めている場合、自宅内の照明を落としており車両に自宅内の光が洩れて来ない場合に限って、所定領域を監視する防犯カメラおよび監視カメラとして機能させることができる。
【００９３】
［第六実施形態］
図９を参照しながら、本実施形態に係る車両用記録装置１０Ｅについて説明する。図９は、第六実施形態に係る車両用記録制御装置を有する車両用記録装置の構成例を示すブロック図である。車両用記録装置１０Ｅは、基本的な構成は第一実施形態の車両用記録装置１０と同様である。車両用記録装置１０Ｅは人感センサ２８０Ｅの構成と、車両用記録制御装置１００Ｅがセンサ選択部（センサ選択制御部）１３６Ｅを有する点が第一実施形態と異なる。
【００９４】
人感センサ２８０Ｅは、前方センサ２８１Ｅと、後方センサ２８２Ｅと、右側方センサ２８３Ｅと、左側方センサ２８４Ｅと、赤外センサ２８５Ｅとを有する。  
【００９５】
前方センサ２８１Ｅは、車両の前方に配置され、車両の前方を中心とした人物を検出する。前方センサ２８１Ｅは、検出結果を車両用記録制御装置１００Ｅの物体検出部１３１へ出力する。  
【００９６】
後方センサ２８２Ｅは、車両の後方に配置され、車両の後方を中心とした人物を検出する。後方センサ２８２Ｅは、検出結果を車両用記録制御装置１００Ｅの物体検出部１３１へ出力する。  
【００９７】
右側方センサ２８３Ｅは、車両の右側方に配置され、車両の右側方を中心とした人物を検出する。右側方センサ２８３Ｅは、検出結果を車両用記録制御装置１００Ｅの物体検出部１３１へ出力する。  
【００９８】
左側方センサ２８４Ｅは、車両の左側方に配置され、車両の左側方を中心とした人物を検出する。左側方センサ２８４Ｅは、検出結果を車両用記録制御装置１００Ｅの物体検出部１３１へ出力する。  
【００９９】
センサ選択部１３６Ｅは、人感センサ２８０Ｅの複数のセンサのうち物体を検出するセンサを選択する。センサ選択部１３６Ｅは、領域判定部１３０が車両が所定領域内に存在すると判定する場合と、車両が所定領域内に存在すると判定しない場合とにおいて、センサを変えて物体を検出する。本実施形態では、センサ選択部１３６Ｅは、領域判定部１３０が車両が所定領域内に存在すると判定する場合、複数のセンサのうち、例えば、自宅の玄関や職場の出入口の周辺の物体を検出するセンサの検出結果を取得し、車両が所定領域内に存在すると判定しない場合、複数のカメラのうち、例えば後方センサ２８２Ｅの検出結果を取得する。例えば、センサ選択部１３６Ｅは、領域判定部１３０が車両が所定領域内に存在すると判定する場合、複数のセンサのうち前方センサ２８１の検出結果を取得し、車両が所定領域内に存在すると判定しない場合、複数のセンサのうち後方センサ２８２の検出結果を取得する。
【０１００】
このように、車両が所定領域内に存在すると判定されたか否かに応じて、複数のセンサのうち物体を検出するセンサを選択する。
【０１０１】
上述したように、本実施形態では、車両が所定領域内に存在すると判定されたか否かに応じて、物体を検出するセンサを選択することができる。本実施形態によれば、車両が所定領域内に存在する場合、例えば、自宅の駐車スペースに居る場合に、複数のセンサのうち監視目的および監視対象に適したセンサ、例えば、自宅玄関方向を向いた人感センサによって不審者などの物体を検出することができる。
【０１０２】
本実施形態では、複数のセンサのうち、センサ選択部１３６Ｅが選択したセンサによって物体を検出するので、バッテリの消費電力を低減することができる。
【０１０３】
［第七実施形態］
図１０を参照しながら、本実施形態に係る車両用記録装置１０について説明する。図１０は、第七実施形態に係る車両用記録制御装置における処理の流れの一例を示すフローチャートである。車両用記録装置１０は、基本的な構成は第一実施形態の車両用記録装置１０と同様である。車両用記録装置は記録機能制御部１２３とトリガ制御部１３２とにおける処理とが第一実施形態と異なる。
【０１０４】
記録機能制御部１２３は、車両が所定領域内に存在すると判定されてから所定時間が経過するまで、トリガによらず映像データの取得を継続して、車両が所定領域内に存在すると判定されてから所定時間が経過した後、トリガを第一トリガとする。より詳しくは、記録機能制御部１２３は、領域判定部１３０によって、車両の現在位置が所定領域内であると判定された場合、所定時間が経過するまでは、イベントの検出の有無によらず、カメラユニット２１０を起動して、映像データを保存する。記録機能制御部１２３は、領域判定部１３０によって、車両の現在位置が所定領域内であると判定された場合、所定時間が経過した後は、イベントを検出したと判断した場合に、カメラユニット２１０を起動して、映像データを保存する。
【０１０５】
車両の現在位置が所定領域内であると判定された場合、所定時間が経過するまでは、例えば、自宅および職場に到着した直後は、不審者がいた場合に、確実に撮影するために、カメラを起動して撮影を開始して、映像データを保存することが好ましい。
【０１０６】
トリガ制御部１３２は、領域判定部１３０が車両が所定領域内に存在すると判定して、所定時間が経過した場合、第一トリガをトリガとする。
【０１０７】
次に、図１０を用いて、車両用記録制御装置１００における処理の流れについて説明する。ステップＳ１３１、ステップＳ１３５ないしステップＳ１４０は、図２に示すフローチャートのステップＳ１０１、ステップＳ１０２ないしステップＳ１０７と同様の処理を行う。
【０１０８】
車両用記録制御装置１００は、所定時間が経過したか否かを判定する（ステップＳ１３２）。車両用記録制御装置１００は、所定時間が経過したと判定する場合（ステップＳ１３２でＹｅｓ）、ステップＳ１３５へ進む。車両用記録制御装置１００は、所定時間が経過したと判定しない場合（ステップＳ１３２でＮｏ）、ステップＳ１３３へ進む。
【０１０９】
車両用記録制御装置１００は、記録機能制御部１２３によって、カメラの撮影を開始する（ステップＳ１３３）。車両用記録制御装置１００は、ステップＳ１３４に進む。
【０１１０】
車両用記録制御装置１００は、記録機能制御部１２３によって、撮影した映像データを保存する（ステップＳ１３４）。車両用記録制御装置１００は、ステップＳ１３２の処理を再度実行する。
【０１１１】
このように、車両の現在位置が所定領域内であると判定された場合、所定時間が経過するまでは、イベントの検出の有無によらず、カメラユニット２１０を起動して、映像データを保存する。
【０１１２】
上述したように、本実施形態では、領域判定部１３０によって、車両の現在位置が所定領域内であると判定された場合、所定時間が経過するまでは、イベントの検出の有無によらず、カメラユニット２１０を起動して、映像データを保存することができる。本実施形態によれば、例えば、帰宅時、または、職場への到着時に、周囲を撮影した映像データを保存することができる。
【０１１３】
［第八実施形態］
図１１を参照しながら、本実施形態に係る車両用記録装置１０について説明する。図１１は、第八実施形態に係る車両用記録制御装置における処理の流れの一例を示すフローチャートである。車両用記録装置１０は、基本的な構成は第一実施形態の車両用記録装置１０と同様である。車両用記録装置は記録機能制御部１２３とトリガ制御部１３２とにおける処理とが第一実施形態と異なる。
【０１１４】
記録機能制御部１２３は、領域判定部１３０によって、車両の現在位置がコインパーキングなどの所定領域内であると判定された場合、例えば、タイムラプス、インターバル撮影のようにカメラの撮影速度を遅くして撮影を行って、映像データを保存する。言い換えると、領域判定部１３０が第二所定領域内であると判定した場合に、記録機能制御部１２３は、カメラの撮影速度を遅くした撮影による映像データを、保存する。
【０１１５】
トリガ制御部１３２は、車両が第一の所定領域、または、第二所定領域内に存在すると判定しない場合、第二トリガをトリガとする。
【０１１６】
次に、図１１を用いて、車両用記録制御装置１００における処理の流れについて説明する。ステップＳ１５１、ステップＳ１５２、ステップＳ１５６ないしステップＳ１６０は、図２に示すフローチャートのステップＳ１０１、ステップＳ１０２、ステップＳ１０３ないしステップＳ１０７と同様の処理を行う。
【０１１７】
車両用記録制御装置１００は、車両の現在位置がコインパーキングなどの第二所定領域であるか否かを判定する（ステップＳ１５３）。車両用記録制御装置１００は、車両の現在位置が第二所定領域であると判定する場合（ステップＳ１５３でＹｅｓ）、ステップＳ１５４へ進む。車両用記録制御装置１００は、車両の現在位置が第二所定領域であると判定しない場合（ステップＳ１５３でＮｏ）、ステップＳ１５６へ進む。
【０１１８】
車両用記録制御装置１００は、記録機能制御部１２３によって、カメラの撮影速度を遅くして、撮影を開始する（ステップＳ１５４）。車両用記録制御装置１００は、ステップＳ１５５に進む。
【０１１９】
車両用記録制御装置１００は、記録機能制御部１２３によって、撮影した映像データを保存する（ステップＳ１５５）。車両用記録制御装置１００は、ステップＳ１６０に進む。
【０１２０】
このように、車両の現在位置が第二所定領域内であると判定された場合、例えば、タイムラプス、インターバル撮影のようにカメラの撮影速度を遅くして撮影を行って、映像データを保存する。
【０１２１】
上述したように、本実施形態では、車両の現在位置が第二所定領域内であると判定された場合、例えば、タイムラプス、インターバル撮影のようにカメラの撮影速度を遅くして撮影を行って、映像データを保存することができる。
【０１２２】
本発明に係る車両用記録装置１０は、上述した実施形態以外にも種々の異なる形態にて実施されてもよい。
【０１２３】
図示した車両用記録装置１０の各構成要素は、機能概念的なものであり、必ずしも物理的に図示の如く構成されていなくてもよい。すなわち、各装置の具体的形態は、図示のものに限られず、各装置の処理負担や使用状況などに応じて、その全部または一部を任意の単位で機能的または物理的に分散または統合してもよい。
【０１２４】
車両用記録装置１０の構成は、例えば、ソフトウェアとして、メモリにロードされたプログラムなどによって実現される。上記実施形態では、これらのハードウェアまたはソフトウェアの連携によって実現される機能ブロックとして説明した。すなわち、これらの機能ブロックについては、ハードウェアのみ、ソフトウェアのみ、または、それらの組み合わせによって種々の形で実現できる。
【０１２５】
上記した構成要素には、当業者が容易に想定できるもの、実質的に同一のものを含む。さらに、上記した構成は適宜組み合わせが可能である。また、本発明の要旨を逸脱しない範囲において構成の種々の省略、置換または変更が可能である。
【符号の説明】
【０１２６】
１０      車両用記録装置
１００    車両用記録制御装置
１１０    バス
１２０    映像データ取得部
１２１    バッファメモリ
１２２    映像データ処理部
１２３    記録機能制御部
１２４    再生制御部
１２５    操作制御部
１２６    表示制御部
１２７    イベント検出部
１２８    位置情報取得部
１３０    領域判定部
１３１    物体検出部
１３２    トリガ制御部
２１０    カメラユニット（撮影部）
２２０    記録部
２３０    操作部
２４０    表示部
２５０    加速度センサ
２６０    ＧＰＳ受信部
２７０    地図情報記憶部
２８０    人感センサ
【図１】
2020156064.tif 000003
【図２】
2020156064.tif 000004
【図３】
2020156064.tif 000005
【図４】
2020156064.tif 000006
【図５】
2020156064.tif 000007
【図６】
2020156064.tif 000008
【図７】
2020156064.tif 000009
【図８】
2020156064.tif 000010
【図９】
2020156064.tif 000011
【図１０】
2020156064.tif 000012
【図１１】
2020156064.tif 000013